(57)【要約】【課題】  信頼性の高いサインデータを効率的に管理するシステムを提案すること。【解決手段】  電子処理用ペーパー３である伝票に対して電子ペン２によって記入されたサインデータを管理する伝票管理方法であって、伝票管理装置１が、伝票を一意に特定する伝票ＩＤと、所定の目的のために決められた形式で構成される伝票フォームを一意に特定する伝票フォームＩＤと、伝票ごとに記入される記入データと、電子ペン２が認識可能なドットパターンを含む少なくとも１つの記入欄データと、伝票の記入欄に対して電子ペン２によって記入された筆跡データを含む少なくとも１つのサインデータと、を関連付けてデータベースに記録することを特徴とする。【選択図】      図１
2005122552.tif 000002
【特許請求の範囲】
【請求項１】
電子処理用ペーパーである伝票に対して電子ペンによって記入されたサインデータを管理する伝票管理方法であって、伝票管理装置が、前記伝票を一意に特定する伝票ＩＤと、所定の目的のために決められた形式で構成される伝票フォームを一意に特定する伝票フォームＩＤと、前記伝票ごとに記入される記入データと、前記電子ペンが認識可能なドットパターンを含む少なくとも１つの記入欄データと、前記伝票の記入欄に対して前記電子ペンによって記入された筆跡データを含む少なくとも１つのサインデータと、を関連付けてデータベースに記録することを特徴とする伝票管理方法。
【請求項２】
前記伝票管理装置は、前記サインデータに、前記電子ペンによってサインが記入された日時データを含めて前記データベースに記録することを特徴とする請求項１に記載の伝票管理方法。
【請求項３】
前記伝票管理装置は、前記サインデータに、前記電子ペンによってサインが記入された位置データを含めて前記データベースに記録することを特徴とする請求項１または請求項２に記載の伝票管理方法。
【請求項４】
電子ペンによってサインデータを記入させるための伝票を出力する伝票出力方法であって、伝票管理装置が、所定の目的のために決められた形式で構成される伝票フォームと、前記伝票ごとに記入される記入データと、前記電子ペンが認識可能なドットパターンを含む少なくとも１つの記入欄と、を合成して前記伝票を作成する手順と、前記作成された伝票を出力する手順と、を実行することを特徴とする伝票出力方法。
【請求項５】
前記伝票を作成する手順は、前記伝票管理装置が、前記記入欄に対して前記電子ペンによって記入された筆跡データを含むサインデータを前記記入欄の上にさらに合成して伝票を作成する手順を含むことを特徴とする請求項４に記載の伝票出力方法。
【請求項６】
前記伝票を作成する手順は、前記伝票管理装置が、作成された伝票を履歴として電子ファイルに記録する手順を含み、前記作成された伝票を出力する手順は、前記履歴として記録された電子ファイルを出力する手順とすることを特徴とする請求項４または請求項５に記載の伝票出力方法。
【請求項７】
電子処理用ペーパーである伝票に対して電子ペンによって記入されたサインデータを管理する伝票管理装置であって、前記伝票に記載されるデータである伝票データを格納する伝票データベースと、所定の目的のために決められた形式で構成される伝票フォームを格納する伝票フォームデータベースと、前記電子ペンが読み取り可能なドットパターンおよび伝票に記入されたサインデータを格納するサインデータベースと、前記電子ペンから受け付けた前記サインデータを前記サインデータベースに登録するサイン登録部と、伝票出力の依頼を受け付ける伝票出力依頼部と、前記伝票フォームを基にして前記伝票データを作成する伝票作成部と、前記伝票作成部によって作成された前記伝票データを出力する伝票出力部と、を含めて構成されることを特徴とする伝票管理装置。
【請求項８】
前記伝票管理装置は、前記伝票作成部によって作成された電子ファイルを履歴として記録する出力履歴記録部をさらに含めて構成されることを特徴とする請求項７に記載の伝票管理装置。
【請求項９】
電子処理用ペーパーである伝票に対してサインの記入に使用される電子ペンであって、電子処理用ペーパーのドットパターンを読み取る筆跡データ読み取り手段と、時刻を計測する時刻計測手段と、を含めて構成されることを特徴とする電子ペン。
【請求項１０】
電子処理用ペーパーである伝票に対してサインの記入に使用される電子ペンであって、電子処理用ペーパーのドットパターンを読み取る筆跡データ読み取り手段と、前記電子ペンの位置を計測する位置計測手段と、を含めて構成されることを特徴とする電子ペン。
【発明の詳細な説明】
【技術分野】
【０００１】
本発明は、伝票管理方法および伝票出力方法、ならびに、伝票管理装置および電子ペンに関する。
【背景技術】
【０００２】
手書きのサインが必要な伝票を用いて行われる業務は、様々なものがある。例えば、運送品の配達における伝票は、運送品の受領者によって手書きのサインがなされる。そして、サイン済の伝票は、サインを行った者に保管されるとともに、カーボン複写による同一の伝票の控えが、運送業者によって保管される。
【０００３】
このような伝票は、紙面で保管されるため、保管に関する場所的なコスト、伝票の移動に伴うコストがかかるとともに、保管された伝票から所望の伝票を検索するためには、目視による検索のために、多大なコストがかかる。そして、これらの紙面の伝票を管理するコストは、伝票数の増加に伴って増大する。
【０００４】
そこで、伝票に手書きで入力された情報を、電子データとして入力するシステムが提案されている（特許文献１など）。このシステムでは、一度入力された伝票の情報を、電子データとして後の検索処理に活用できるため、紙面による検索に比べて、効率的な検索処理を提供することができる。
【特許文献１】特開平９−６８６６号公報（段落[０００６]）
【発明の開示】
【発明が解決しようとする課題】
【０００５】
しかし、特許文献１は、伝票への記入事項を単にイメージデータとして保管しているため、様々な問題が発生する。まず、伝票に記載された手書きの筆跡データに加え、伝票の汚れなどのノイズまで併せて記録されてしまう。また、記入された箇所に係らず、伝票の形式が一部でも変更された場合、変更された形式の伝票を新たに作成しなければならない手間が発生するため、伝票形式の変更に弱い。さらに、ペンの圧力の強弱などの筆圧データは、イメージデータには直接記録されないため、サインとして信頼性が低いものとなってしまう。
【０００６】
そこで、本発明では、前記した問題を解決し、信頼性の高いサインデータを効率的に管理するシステムを提案することを主な目的とする。
【課題を解決するための手段】
【０００７】
前記課題を解決するため、本発明は、電子処理用ペーパーである伝票に対して電子ペンによって記入されたサインデータを管理する伝票管理方法であって、伝票管理装置が、前記伝票を一意に特定する伝票ＩＤと、所定の目的のために決められた形式で構成される伝票フォームを一意に特定する伝票フォームＩＤと、前記伝票ごとに記入される記入データと、前記電子ペンが認識可能なドットパターンを含む少なくとも１つの記入欄データと、前記伝票の記入欄に対して前記電子ペンによって記入された筆跡データを含む少なくとも１つのサインデータと、を関連付けてデータベースに記録することを特徴とする。
【発明の効果】
【０００８】
このような発明によれば、電子ペンによって記入されたサインデータを、信頼性の高い筆跡データとして記録することができる。また、信頼性の高い筆跡データを、伝票ＩＤと関連付けて管理することにより、サインデータを含む伝票を、随時作成することができる。
【発明を実施するための最良の形態】
【０００９】
以下に、本発明が適用される伝票管理システムの一実施形態について、図面を参照して詳細に説明する。まず、本実施形態の伝票管理システムの構成について、図１から図４を参照して説明する。
【００１０】
図１は、伝票管理システムの構成図である。伝票管理システムは、伝票データおよび伝票に記入されたサインデータを効率的に管理する機能を有する。このため、伝票管理システムは、伝票データおよび伝票に記入されたサインデータを管理する伝票管理装置１と、電子処理用ペーパー３に印刷されたドットパターンを読み取ることによって記入された筆跡データを取得する電子ペン２と、紙面を印刷する印刷装置６と、画像を画面に表示する表示装置７と、時計によって時刻を計測する時刻計測装置８と、ＧＰＳ（Global Positioning System）によって位置を計測する位置計測装置９と、を含んで構成される。なお、印刷装置６は、伝票データから電子ペン２が読み取り可能なドットパターンが印刷されている電子処理用ペーパー３を印刷する。
【００１１】
なお、印刷装置６は、電子処理用ペーパー３に対して印刷を行うため、例えば、ページごとに印刷を行うページプリンタによって構成される。よって、印刷装置６は、従来の手書き伝票で使用されるカーボン紙を使用する必要がなくなる。よって、カーボン紙に対して行ごとに印刷を行うラインプリンタに対して、一般的に低コストで導入が可能となる。
【００１２】
ここで、電子処理用ペーパー３と電子ペン２について説明する。電子ペン２は、ＣＰＵ（Central Processing Unit）、ＲＡＭ（Random-Access Memory）、Bluetooth規格などに準拠した無線通信機能を有しているとともに、手書きで筆記可能なペンの機能（例えばボールペンにおけるボールとインク供給部）も含めて構成される。そして、電子ペン２を把持したサイン者が電子処理用ペーパー３に文字を記入すると、電子ペン２は、電子処理用ペーパー３に文字を記すとともに、電子処理用ペーパー３に印刷されているドットパターンを読み取り、筆跡データとして電子ペン２内部に記録する。また、電子ペン２は、ドットパターンからドットパターンの識別情報も併せて取得する。そして、記録された筆跡データは、無線通信機能を用いて、電子ペン２から他の装置へと送信される。なお、電子ペン２は、例えば“アノトペン（Ｒ）”として、電子処理用ペーパー３とともに実用化されている。
【００１３】
図２は、伝票管理装置１の構成図である。伝票管理装置１は、伝票データを処理する構成要素、サインデータを処理する構成要素、および、伝票の出力に関する構成要素を含んで構成される。以下、伝票管理装置１の各構成要素について、具体的に説明する。
【００１４】
まず、伝票管理装置１の伝票データを処理する構成要素は、所定の目的のために決められた形式で構成される伝票フォームを格納する伝票フォームＤＢ１１と、運送品を運送する相手に関する情報を格納する運送先ＤＢ１２と、伝票データを格納する伝票ＤＢ１３と、伝票フォームを基にして伝票データを作成する伝票作成部１９と、を含んで構成される。
【００１５】
次に、伝票管理装置１のサインデータを処理する構成要素は、伝票に記入されたサインデータを格納するサインＤＢ２０と、電子ペン２が認識可能なドットパターンを含む記入欄を作成する記入欄作成部２８と、電子ペン２から受け付けたサインデータをサインＤＢ２０に登録するサイン登録部２９と、を含んで構成される。
【００１６】
そして、伝票管理装置１の伝票の出力に関する構成要素は、伝票出力の依頼を受け付ける伝票出力依頼部３０と、伝票作成部１９によって作成された伝票データを出力する伝票出力部３１と、電子ファイル出力部３１Ｃによって作成された画像ファイルを履歴として記録する出力履歴記録部３２と、を含んで構成される。なお、伝票出力部３１は、例えば、伝票データを画面に表示する表示部３１Ａ、伝票データを紙面に印刷する印刷部３１Ｂ、または、伝票データを画像ファイルとして出力する電子ファイル出力部３１Ｃのうち、少なくとも１つを有することによって構成される。
【００１７】
図３は、伝票フォームＤＢ１１および運送先ＤＢ１２の構成図である。よって、図３（Ａ）の伝票フォームＤＢ１１の各レコードは、レコードを識別する伝票フォームＩＤと、伝票フォーム名称と、項目の分類と、データの項目と、を含めて構成される。また、伝票フォームＤＢ１１のデータの項目のうち、電子ペン２による手書きのサインが必要な項目には、サインフラグが付されている。よって、伝票フォームＤＢ１１の各レコードは、伝票の形式を決定する。例えば、伝票フォームＩＤ“２０３”は、“タバコ納品用伝票”を示し、“タバコ納品用伝票”は、データの項目として、運送品情報（運送品コード、運送品の名称、運送品の分量）、運送先情報（運送先ＩＤ、運送先の郵便番号、運送先の住所、運送先の名称）、および、運送受領情報（サイン者の名称、サインデータ、サイン日時、サイン位置）を有する。そして、これらのデータの項目のうち、“運送受領情報のサイン者”は、電子ペン２による手書きのサインを必要とする項目である。
【００１８】
図３（Ｂ）の運送先ＤＢ１２の各レコードは、運送先に関するデータを示す。よって、運送先ＤＢ１２の各レコードは、レコードを識別する運送先ＩＤと、運送先の郵便番号と、運送先の住所と、運送先の名称と、を含めて構成される。これらの運送先ＤＢ１２のデータは、伝票フォームＤＢ１１の伝票フォームのデータの項目に記入されるためのデータである。つまり、１つの運送先に関するデータが複数の伝票に記載されるため、運送先に関するデータを予め一箇所に集中して管理することで、運送先に関するデータの入力および運送先に関するデータの変更に伴う整合性のチェックの手間を省くことができる。
【００１９】
図４は、伝票ＤＢ１３およびサインＤＢ２０の構成図である。図４（Ａ）の伝票ＤＢ１３の各レコードは、伝票ごとに作成されるものである。なお、伝票は、１つの処理（事務処理など）に使用される単位であり、１枚以上の紙面によって構成される。よって、図４（Ａ）の伝票ＤＢ１３の各レコードは、レコードを識別する伝票ＩＤと、伝票に対して電子ペン２によるサインが記入されたかどうかを示すサイン完了フラグと、伝票を出力する旨の指示をうけて出力を行った伝票出力日時と、伝票の形式を取得するための伝票フォームＩＤと、伝票フォームのデータの項目に対する伝票内容と、を含めて構成される。また、図４（Ａ）の伝票ＤＢ１３の各レコードは、外部のＤＢから参照して伝票内容を入力する場合には、その外部のＤＢにおける入力されるデータを特定する情報（例えば、運送先ＩＤ）を含めてもよい。
【００２０】
図４（Ｂ）のサインＤＢ２０の各レコードは、サインが記入される記入欄ごとに作成されるものである。よって、図４（Ｂ）のサインＤＢ２０の各レコードは、レコードを識別する記入欄ＩＤと、記入欄名称と、電子処理用ペーパー３に印刷されているドットパターンである記入欄データと、電子ペン２により記入されたサインデータと、サインデータに関する属性情報（サイン者、サイン日時、サイン位置など）とに加え、記入欄が含まれている伝票を特定する伝票ＩＤを含めて構成される。例えば、図４（Ｂ）に示す記入欄ＩＤが“３０４５２”であるレコードは、伝票ＩＤが“１０２３４”となる伝票に含まれている記入欄を示すものである。よって、図４（Ｂ）のサインＤＢ２０に示すデータ構造により、１つの伝票を、１つ以上の記入欄に関連付けさせることができる。
【００２１】
以上、伝票管理システムの構成について説明した。次に、本実施形態の伝票管理システムの動作の概要について、図１から図４を参照しつつ、図５に沿って説明する。
【００２２】
図５は、伝票管理処理の概要を示すフローチャートである。まず、伝票管理装置１は、前準備（伝票フォームＤＢ１１および運送先ＤＢ１２の登録）を行う（Ｓ１０１）。なお、伝票フォームＤＢ１１は、伝票の定型となるデータを登録するものであり、また、運送先ＤＢ１２は、伝票の記入データとして使用される運送先ごとのデータである。これらのデータは、複数の伝票において同一のものが使用されるため、各伝票の作成前に予め前準備として登録させる。
【００２３】
次に、伝票管理装置１は、伝票データを登録する（Ｓ１０２）。まず、伝票管理装置１は、伝票の基本となる伝票フォームを、伝票フォームＤＢ１１に登録された伝票フォームから選択させる。次に、伝票管理装置１は、選択された伝票フォームの各項目に記入するデータの入力を受け付け、伝票フォームに追加する。ここで、記入するデータが予め登録されている場合（例えば、運送先ＤＢ１２）には、登録先のＤＢから記入するデータを特定する情報の入力を受け付け、登録先のＤＢからその特定する情報に従って取得記入するデータを読み込んでもよい。
【００２４】
さらに、伝票管理装置１は、選択された伝票フォームの項目のうち、手書きによるサインが必要な記入欄について、記入させるための記入欄を、ドットパターンとして伝票フォームに追加する。ここで、伝票フォームの項目のうち、どの項目にドットパターンを設けるかについては、例えば、伝票フォームＤＢ１１の予め指定されている“サインフラグ”にて判断する。
【００２５】
以上により、伝票フォームに基づいた記入用の伝票が作成される。よって、伝票管理装置１は、作成された記入用の伝票を、伝票ＤＢ１３に登録する。そして、伝票管理装置１は、印刷装置６を介して記入用の伝票データを印刷する（Ｓ１０３）。
【００２６】
ここで、印刷された伝票は、電子ペン２が読み取り可能なドットパターンが印刷された電子処理用ペーパー３である。そして、印刷された伝票は、電子ペン２によって、記入者から手書きのサインが記入される。よって、電子ペン２は、伝票に記入されたサインについて、ドットパターンを読み取ることにより筆跡データとして取得する（Ｓ１０４）。なお、電子ペン２は、圧力センサを用いて、サインが記入された際の筆圧も取得して筆跡データに付加してもよい。
【００２７】
そして、電子ペン２は、伝票管理装置１にサインデータを送信する（Ｓ１０５）。なお、サインデータは、電子ペン２が読み取った筆跡データだけで構成されてもよいし、サインの記入に関するデータを属性データとして筆跡データに付加してもよい。属性データは、例えば、サインの記入が行われた時刻や、サインの記入が行われた位置（場所）である。ここで、これらの属性データを取得する手段は、電子ペン２が自ら備えることとしてもよいし、電子ペン２とは別の装置が属性データを取得することとしてもよい。電子ペン２とは別の装置とは、例えば、時計によって時刻を計測する時刻計測装置８、または、ＧＰＳによって位置を計測する位置計測装置９などが挙げられる。
このように、サインの記入が行われた位置（場所）や、サインの記入が行われた時刻をサインデータに付加することにより、サインが行われるべき時刻および場所と、実際にサインの記入が行われた時刻および場所とを、比較することができる。よって、例えば、サインが行われるべき時刻および場所とは別の時刻および場所での、サインの偽造行為を効率的に発見できるようになり、サインデータの信頼性が向上する。
【００２８】
さらに、伝票管理装置１は、サインデータを登録する（Ｓ１０６）。ここで、サインデータは、記入された伝票の伝票ＩＤと対応付けられて登録される。また、記入された伝票が有する全ての記入欄へのサインデータが登録された場合には、伝票管理装置１は、伝票に対するサインがなされた旨を示す“サイン完了フラグ”を併せて伝票ＤＢ１３に登録する。
【００２９】
なお、伝票管理装置１は、伝票およびサインデータを電子データとして管理する。これにより、従来のカーボン紙による紙面の管理に比べて、様々な観点でコストの削減を実現する効率的な伝票管理システムを提供することができる。なお、削減できるコストは、例えば、紙面の輸送（移動）に関するコスト、紙面の管理場所（倉庫など）に関するコスト、紙面に記載された事項を手入力でシステムに入力するコスト、紙面で管理された伝票群から所望の伝票を検索および出力するコスト、などが挙げられる。
【００３０】
そして、伝票管理装置１は、サイン済の伝票データを出力する（Ｓ１０７）。なお、出力の契機は、サインデータの登録が行われた時としてもよいし、サインデータが登録済の伝票に対して、伝票ＩＤをキーとした検索要求を伝票管理装置１が受け付けた時としてもよい。
【００３１】
以上、伝票管理システムの動作の概要について説明した。次に、本実施形態の伝票管理システムの動作のうち、伝票の作成および出力に関する動作について、図１から図５を参照しつつ、図６に沿って説明する。なお、図６は、図５におけるサイン記入前の伝票データの印刷（Ｓ１０３）およびサイン記入済の伝票データの出力（Ｓ１０７）の動作を詳細に説明するフローチャートである。
【００３２】
まず、伝票管理装置１は、出力の対象となる伝票ＩＤの受け付けを行う（Ｓ２０１）。次に、伝票管理装置１は、伝票ＤＢ１３から伝票ＩＤに対応する伝票データを取得する（Ｓ２０２）。なお、図７（Ａ）は、伝票ＤＢ１３から取得された伝票に関するデータを示すものである。これによると、伝票ＩＤ“１０２３４”は、伝票フォームＩＤ“２０３”をベースにしている。そして、伝票管理装置１は、伝票フォームＤＢ１１から伝票フォームを取得し、出力用伝票データとして設定する（Ｓ２０３）。なお、図７（Ｂ）は、図７（Ａ）の伝票フォームＩＤ“２０３”をキーとして、伝票フォームＤＢ１１から伝票フォームを取得して、各項目を展開したものである。これによると、伝票フォーム“タバコ納品用伝票”は、各項目が“運送品情報”、“運送先情報”、“運送受領情報”という３つの分類に分かれている。
【００３３】
さらに、伝票管理装置１は、伝票ＤＢ１３および運送先ＤＢ１２から記入データを取得し、出力用伝票データへ合成する（Ｓ２０４）。なお、各記入データは、前準備（Ｓ１０１）または伝票データの登録（Ｓ１０２）において、既に登録されている。また、伝票管理装置１は、サインＤＢ２０からドットパターンを取得し出力用伝票データへ合成する（Ｓ２０５）。図８（Ａ）は、各記入項目データおよび手書きサイン用のドットパターンが追加された伝票を示す図である。ここで、“運送品情報”は、伝票データの登録（Ｓ１０２）によって直接入力された項目が、“運送先情報”は、運送先ＩＤをキーとして運送先ＤＢ１２から取得された記入データが、それぞれ追加されている。
【００３４】
ここで、伝票管理装置１は、伝票データはサイン済かどうか確認する（Ｓ２０６）。なお、サイン済かどうかの判定は、例えば、伝票ＤＢ１３に登録された“サイン完了フラグ”を参照して行われる。まず、伝票データがサイン済の場合（Ｓ２０６、Ｙ）、伝票管理装置１は、サインＤＢ２０からサインデータを取得して出力用伝票データへ合成する（Ｓ２０７）。なお、サインデータは、筆跡データだけではなく、サインの属性データを付してもよい（図８（Ｂ）参照）。一方、伝票データがサイン済でない場合（Ｓ２０６、Ｎ）、伝票管理装置１は、処理を出力用伝票データの出力（Ｓ２０８）へ進める。
【００３５】
そして、伝票管理装置１は、伝票出力部３１を介して作成された出力用伝票データを出力する（Ｓ２０８）。なお、伝票の出力の形態は、様々なものが挙げられる。例えば、伝票を紙面として出力する場合には、伝票は、印刷部３１Ｂを介して印刷装置６に印刷される。また、伝票を画面表示として出力する場合には、伝票は、表示部３１Ａを介して表示装置７に表示される。さらに、伝票を電子ファイルとして出力する場合には、伝票は、電子ファイル出力部３１Ｃを介して、例えば、伝票管理装置１内のＨＤＤ（Hard Disk Drive）へと記録される。
【００３６】
なお、伝票管理装置１は、作成した電子ファイルを履歴として出力履歴記録部３２に記録しておき、後に電子ファイルの出力指示を受け付けた場合に、その都度電子ファイルを作成する代わりに、出力履歴記録部３２に記録された電子ファイルをそのまま出力してもよい。これにより、伝票管理装置１は、出力指示を受け付けてから実際に電子ファイルを出力するまでのレスポンスを早くすることができるとともに、電子ファイルを出力するために使用される伝票に関するデータを常に保持する必要が無くなる。
【００３７】
ここで、伝票へのドットパターンおよびサインデータの合成について、図９を用いて補足説明する。まず、図９（Ａ）は、サイン記入前の伝票データの印刷（Ｓ１０３）を示す略式図である。伝票には、伝票フォームの上からドットパターンが重ねて印刷される。そして、ドットパターンの上に、電子ペン２によってサインを手書きすることが可能となる。一方、図９（Ｂ）は、サイン記入済の伝票データの出力（Ｓ１０７）を示す略式図である。伝票には、伝票フォームの上からドットパターンが重ねて印刷される。そして、ドットパターンの上から電子ペン２によって記入されたサインデータ（筆跡データ）が重ねて印刷される。
【００３８】
以上、伝票管理システムの動作について説明した。以上説明した本発明は、発明の趣旨を逸脱しない範囲で広く変形実施することができる。
【００３９】
例えば、前記の一実施形態では、タバコの運送に使用される伝票を基に、伝票管理システムを説明したが、手書きによるサインを使用する伝票であれば、その用途は特にタバコの運送に限定されるものではない。例えば、行政文書を扱うシステムに、本発明の一実施形態に関する伝票管理システムを適用してもよい。
【００４０】
また、記入欄とドットパターンとの対応付けについて、前記の一実施形態では、電子ペン２が読み取るドットパターンを、記入欄ごとに対応させて記録する形式とした。一方、記入欄の伝票における位置情報（記入欄が伝票の何枚目のどの場所に位置するか）と、その位置におけるドットパターンとを対応させて記録する方式を採用してもよい。
【図面の簡単な説明】
【００４１】
【図１】本発明の一実施形態に関する伝票管理システムの構成図である。
【図２】本発明の一実施形態に関する伝票管理装置の構成図である。
【図３】本発明の一実施形態に関する伝票フォームＤＢおよび運送先ＤＢの構成図である。
【図４】本発明の一実施形態に関する伝票ＤＢおよびサインＤＢの構成図である。
【図５】本発明の一実施形態に関する伝票管理処理の概要を示すフローチャートである。
【図６】本発明の一実施形態に関する伝票の作成および出力に関する動作を示すフローチャートである。
【図７】本発明の一実施形態に関する伝票の作成過程を示す図である。
【図８】本発明の一実施形態に関するサインが追加された伝票を示す図である。
【図９】本発明の一実施形態に関する伝票にドットパターンを合成する旨を示す図である。
【符号の説明】
【００４２】
１      伝票管理装置
２      電子ペン
３      電子処理用ペーパー
６      印刷装置
８      時刻計測装置
９      位置計測装置
１１    伝票フォームＤＢ
１３    伝票ＤＢ
１９    伝票作成部
２０    サインＤＢ
３１    伝票出力部
３２    出力履歴記録部
【図１】
2005122552.tif 000003
【図２】
2005122552.tif 000004
【図３】
2005122552.tif 000005
【図４】
2005122552.tif 000006
【図５】
2005122552.tif 000007
【図６】
2005122552.tif 000008
【図７】
2005122552.tif 000009
【図８】
2005122552.tif 000010
【図９】
2005122552.tif 000011